(57)【要約】      （修正有）【課題】刈り取られた草が作業者側に飛散することを防止しながら、草刈作業を円滑かつ良好に行うことのできる草刈機用ヘッドカバーを提供する。【解決手段】回転駆動するロータ１２ａに、可撓性の線状材１２ｂを刈刃として取り付けてなるカッターヘッド１２を操作軸１１の先端に設けた構造の草刈機１に装着して使用する草刈機用ヘッドカバー２である。このヘッドカバー２は、操作軸１１に取り付けられるカバー本体３、及び草刈機１を使用する草刈作業者の足元とカッターヘッド１２との間となる位置で上端縁がヒンジ３４を介してカバー本体３に連接される後部防護板６を備えている。後部防護板６は、ヒンジ３４の軸部を中心に前後に揺動可能とされている。【選択図】図２
0003166057.tif 000002
【実用新案登録請求の範囲】
【請求項１】
回転駆動するロータに、可撓性の線状材を刈刃として取り付けてなるカッターヘッドを操作軸の先端に設けた構造の草刈機に装着して使用する草刈機用ヘッドカバーであり、
前記操作軸に取り付けられるカバー本体と、
前記草刈機を使用する草刈作業者の足元と前記カッターヘッドとの間となる位置で上端縁がヒンジを介して前記カバー本体に連接されて前記ヒンジの軸部を中心に前後に揺動可能に設けられる後部防護板と、
を有することを特徴とする草刈機用ヘッドカバー。
【請求項２】
前記カバー本体は、前記操作軸に結合する結合部を備えた固定板と、その固定板の前端縁より前記カッターヘッドの上方に向けて延びる天板とから成り、
前記天板には、前記カッターヘッドの側方となる位置で前記ヒンジとは別の第２のヒンジを介して前記後部防護板に交差する側部防護板が連接されていることを特徴とする請求項１記載の草刈機用ヘッドカバー。
【請求項３】
前記後部防護板および側部防護板は、ゴム板からなることを特徴とする請求項２記載の草刈機用ヘッドカバー。
【請求項４】
前記天板は、前記固定板の前端縁に第３のヒンジを介して上下に揺動可能に連接され、前記カバー本体には、前記固定板に対して前記天板を所定の角度で保持する天板保持手段が設けられていることを特徴とする請求項２、又は３記載の草刈機用ヘッドカバー。
【請求項５】
前記結合部と操作軸との間に介在される防振部材を有していることを特徴とする請求項２〜４のいずれか１項に記載の草刈機用ヘッドカバー。
【考案の詳細な説明】
【技術分野】
【０００１】
本考案は、草刈作業に用いられる器具に係わり、特に可撓性を有する線状材を刈刃とする草刈機に装着して、刈り取られた草などが作業者側に飛散するのを防止する草刈機用ヘッドカバーに関する。
【背景技術】
【０００２】
従来、草刈機として、円板状のカッターブレードを回転させて草を刈る形式のものと、可撓性の線状材を回転させて草を刈る形式のものとが知られる。このうち、可撓性の線状材を刈刃として用いた草刈機では、線状材の遠心力により草を切断するので、石などの近くに繁茂した草を刈る場合でも、カッターブレードのように刃先を損傷してしまうことを気にせず作業を行えるという利点を有するものの、刈り取られた草が周囲に飛散して草刈作業者の着衣に付着してしまったり、線状材により弾かれた小石類などによって草刈作業者が負傷してしまったりすることがあった。
【０００３】
そこで、草刈機の操作軸に板状の飛散防止カバーを取り付け、その飛散防止カバーにより可撓性の線状材を含むカッターヘッド（切断ユニット）の上部を覆うようにした草刈機用安全カバーなるものが提案されている（例えば、特許文献１）。
【先行技術文献】
【特許文献】
【０００４】
【特許文献１】特開２００３−１６９５１８号公報
【考案の概要】
【考案が解決しようとする課題】
【０００５】
しかしながら、特許文献１に記載される草刈機用安全カバーでは、草刈作業者の顔面方向に小石などが弾き飛ばされることを防止することはできても、飛散防止カバーと地面との隙間から草刈作業者の足元に草が飛散して、これが作業者の靴やズボンの裾に付着してしまうことを防ぎ得ない。
【０００６】
尚、特許文献１では飛散防止カバーの後部を下向きに折り曲げているが、これでは折り曲げ部分が石その他の突出物に引っ掛かって草刈作業を円滑に行えず、これを防止するべくカッターヘッドを地面から大きく隔てて移動させると、草を短く刈り込むことができなくなる。
【０００７】
本考案は以上のような事情に鑑みて成されたものであり、その目的は線状材により刈り取られた草が作業者側に飛散することを防止しながら、草刈作業を円滑かつ良好に行えるようにすることにある。
【課題を解決するための手段】
【０００８】
本考案は上記目的を達成するため、
回転駆動するロータに、可撓性の線状材を刈刃として取り付けてなるカッターヘッドを操作軸の先端に設けた構造の草刈機に装着して使用する草刈機用ヘッドカバーであり、
前記操作軸に取り付けられるカバー本体と、
前記草刈機を使用する草刈作業者の足元と前記カッターヘッドとの間となる位置で上端縁がヒンジを介して前記カバー本体に連接されて前記ヒンジの軸部を中心に前後に揺動可能に設けられる後部防護板と、
を有することを特徴とする草刈機用ヘッドカバーを提供する。
【０００９】
又、上記のように構成される草刈機用ヘッドカバーにおいて、
前記カバー本体は、前記操作軸に結合する結合部を備えた固定板と、その固定板の前端縁より前記カッターヘッドの上方に向けて延びる天板とから成り、
前記天板には、前記カッターヘッドの側方となる位置で前記ヒンジとは別の第２のヒンジを介して前記後部防護板に交差する側部防護板が連接されていることを特徴とする。
【００１０】
加えて、前記後部防護板および側部防護板は、ゴム板からなることを特徴とする。
【００１１】
更に、前記天板は、前記固定板の前端縁に第３のヒンジを介して上下に揺動可能に連接され、前記カバー本体には、前記固定板に対して前記天板を所定の角度で保持する天板保持手段が設けられていることを特徴とする。
【００１２】
又、本考案は、前記結合部と操作軸との間に介在される防振部材を有していることを特徴とする。
【考案の効果】
【００１３】
本考案によれば、草刈機を使用する草刈作業者の足元と草刈機のカッターヘッドとの間となる位置に後部防護板が設けられることから、カッターヘッドにより刈り取られた草が草刈作業者の足元付近に飛散して、作業者の靴や着衣が汚損されてしまうことを防止できる。
【００１４】
特に、後部防護板は、その上端縁がヒンジを介してカバー本体に連接されて前後に揺動可能とされていることから、地面から石などが突出していても、後部防護板が揺動して突出物を乗り越えるから、後部防護板の下端縁を地面に接触させて後方への草の飛散を完全に防止しながら、草刈作業を突出物に邪魔されることなく円滑に行うことができる。
【００１５】
加えて、カバー本体が草刈機の操作軸に結合する結合部を備えた固定板と、その固定板の前端縁よりカッターヘッドの上方に向けて延びる天板とから成る構成では、作業者の顔面方向に小石などが弾き飛ばされることを天板によって防ぐことができる。
【００１６】
又、カッターヘッドの側方となる位置で、天板に側部防護板が連接されることにより、側方への草の飛散も防止できる。
【００１７】
更に、後部防護板および側部防護板がゴム板からなるものでは、その下部を撓めた状態で地面に接触されることができるので、地面との間に草が飛び出るような隙間が生ずることを完全に防止することができる。
【００１８】
又、天板が固定板の前端縁にヒンジを介して上下に揺動可能に連接されると共に、カバー本体に天板を所定の角度で保持する天板保持手段が設けられる構成では、操作軸に対する固定板の取り付け位置によって変化するカッターヘッドと天板との間隔を適宜最適な状態に調節することができる。
【００１９】
又、結合部と操作軸との間に介在される防振部材を有している構成では、ヘッドカバーに伝播する草刈機の振動を抑制し、操作軸に対する結合部の締結力が弱まることなどを防止することができる。
【図面の簡単な説明】
【００２０】
【図１】本考案に係る草刈機用ヘッドカバーを示す平面図
【図２】図１のＸ−Ｘ断面図
【図３】草刈機に対するヘッドカバーの取り付け部分を示した部分拡大断面図
【図４】天板の揺動状態を示す説明図
【図５】カバー本体と後部防護板の連接部分を示す部分拡大断面図
【図６】本考案に係る草刈機用ヘッドカバーの使用態様を示す説明図
【図７】本考案に係る草刈機用ヘッドカバーの使用態様を示す説明図
【図８】本考案に係る草刈機用ヘッドカバーの使用態様を示す説明図
【図９】カバー本体と側部防護板の連接部分を示す部分拡大断面図
【考案を実施するための形態】
【００２１】
以下、図面に基づいて本考案を詳しく説明する。先ず、図１および図２において、１は本考案に係るヘッドカバー２を装着した公知の草刈機であり、この草刈機１は所定の長さを有する操作軸１１の先端に設けられたカッターヘッド１２を備えている。カッターヘッド１２は、一方向（図１において反時計回り）に回転駆動するロータ１２ａの外周部に可撓性を有する線状材１２ｂを取り付けて構成されている。線状材１２ｂは、ロータ１２ａに同調して高速回転しながら草を切断する刈刃となるものであり、その一端は固定端としてロータ１２ａに固定されている。
【００２２】
一方、本考案に係るヘッドカバー２は、上部構造として草刈機１の操作軸１１に取り付けられるカバー本体３を備えている。このカバー本体３は、操作軸１１に対して直交する方向に延びる固定板３１と、固定板３１の前端縁よりカッターヘッド１２の上方に向けて延びる天板３２とからなり、その両者３１，３２はヒンジ３３によって連接されている。
【００２３】
本例において、固定板３１はアルミ製であり、その一端縁には操作軸１１に結合する結合部４が設けられている。結合部４は、固定板３１の一端縁に形成した半円筒状の掛金部４１と、その掛金部４１に沿って固定板３１に取り付けた２つのＣ型クランプ４２とにより構成されている。
【００２４】
そして、その結合部４によれば、図３のように掛金部４１とクランプ４２との間に草刈機の操作軸１１を挟み入れ、ボルト４３およびナット４４でクランプ４２を締め付けることにより操作軸１１の外周に結合部４を凝着させて固定板３１を操作軸１１に片持ち状態で堅固に固定することができる。特に、掛金部４１の内周面には、図３に示されるよう操作軸１１との間に介在する防振部材としてゴムパッド４５が設けられ、そのゴムパッド４５が操作軸１１の外周面に密着する構成とされている。これによれば、ヘッドカバー２に伝播する草刈機１の振動を抑制し、結合部４に用いられるボルト４３などの締結部材が緩むことを防止することができる。
【００２５】
又、図１および図２から明らかなように、天板３２はカッターヘッド１２の上面部を覆い、これにより上方への飛散物が受け止められるようになっている。尚、本例において、天板３２はアクリルなどの透明樹脂製であり、これを透してカッターヘッド１２を上方から視認可能とされている。特に、図４のように、天板３２はヒンジ３３の軸部３３ａを中心として上下に揺動可能とされていると共に、カバー本体３には固定板３１に対して天板３２を所定の角度で保持する天板保持手段５が設けられている。
【００２６】
天板保持手段５は、固定板３１に取り付けたＬ字形のブラケット５１と、天板３２に取り付けたＬ字形のブラケット５２、及びその両ブラケット５１，５２に掛け渡される連結アーム５３により構成されている。このうち、連結アーム５３は偏平な平鋼であり、これにはその長手方向に沿って貫通孔５３ａが等ピッチで穿設されている。そして、連結アーム５３は、その一端部が貫通孔５３ａに通されるボルト５４と該ボルトに適合するナット５５とによりブラケット５２に接続されると共に、他の一端部が貫通孔５３ａに通される蝶ボルト５６と該蝶ボルトに適合するナット５７とによりブラケット５１に接続されている。しかして、天板３２を所定の角度で保持しながら、その角度をブラケット５１，５２に対応する貫通孔５３ａの位置により段階的に変化させることが可能とされている。これによれば、操作軸１１に対する固定板３１の取り付け位置によって変化するカッターヘッド１２と天板３２との中心間距離を適宜調節でき、同時に後述する側部防護板７の高さを調節することができる。
【００２７】
ここに、カバー本体３には、カッターヘッド１２により刈り取られた草の後方への飛散を防ぐ後部防護板６と、側方への飛散を防ぐ側部防護板７が連接されている。
【００２８】
このうち、後部防護板６は、カッターヘッド１２の後方（図２の右方）に立つ図示せぬ草刈作業者（草刈機の使用者）の足元とカッターヘッド１２との間となる位置に設けられている。特に、図５から明らかなように、後部防護板６は、ヒンジ３４を介して上端縁が固定板３１の前端縁に連接され、ヒンジ３４の軸部３４ａを中心として前後（図５の左右方向）に揺動可能とされている。尚、係る後部防護板６として、金属板や樹脂板などを用いても良いが、本例ではこれに天板３２と同一の幅を有するゴム板が用いられている。
【００２９】
しかして、係る後部防護板６は、図６のように下端縁を地面Ｇに接してカッターヘッド１２の後方に立ちはだかり、カッターヘッド１２により刈り取られた草が草刈作業者の足元周辺に飛散するのを防止する。
【００３０】
尚、操作軸１１に対するカバー本体３の取り付け位置をカッターヘッド１２側に下げれば、図７のように後部防護板６の下部が撓んで地面Ｇとの間に隙間が生ずることを完全に防止することができる。加えて、ゴム製の後部防護板６であれば、地面Ｇから石などが突出していても、後部防護板６が変形して突出物を乗り越えるから、草刈作業を円滑に行うことができる。
【００３１】
更に、後部防護板６がカバー本体２にヒンジ３４を介して前後に揺動可能に連接される構成であれば、後部防護板６が金属その他の硬質板であっても、図８のように後部防護板６が揺動して突出物Ｐを乗り越えるから、後部防護板６の下端縁を地面Ｇに接触させて後方（作業者側）への草の飛散を完全に防止しながら、草刈作業を突出物Ｐに邪魔されることなく円滑に行うことができる。
【００３２】
又、天板３２には、カッターヘッド１２の側方となる位置で上記側部防護板７が連接されている。図１および図９から明らかなように、側部防護板７は、ヒンジ３５を介して上端縁が天板３２の側端縁に連接され、その後部側が後部防護板６の一端縁に交差（直交）している。尚、本例において、側部防護板７もゴム板から形成されている。そして、この側部防護板７によれば、カッターヘッド１２により刈り取られた草が側方に飛散することを防止することができる。特に、側部防護板７もゴム板からなり、しかもその上端縁がヒンジ３５を介して天板３２に連接されていることから、地面の突出物に側部防護板７の下端縁を引っ掛けてカッターヘッド１２の横移動を阻害してしまうことがなく、このため草の飛散を防止しながら草刈作業を円滑に行うことができる。
【００３３】
以上、本考案の実施形態を説明したが、天板３２は透明とされることに限らない。又、上記のように、固定板３１と天板３２がヒンジ３３で連接される構成では、ヘッドカバー２を草刈機１から取り外したとき、カバー本体３にヒンジ３４，３５を介して連接される後部防護板６や側部防護板７を含めて全体をコンパクトに折り畳んで保管できるので好ましいが、カバー本体３を一枚の金属板などから一体成形したものとしてもよい。
【符号の説明】
【００３４】
１  草刈機
１１  操作軸
１２  カッターヘッド
１２ａ  ロータ
１２ｂ  線状材
２  ヘッドカバー
３  カバー本体
３１  固定板
３２  天板
３３  ヒンジ（第３のヒンジ）
３４  ヒンジ
３４ａ  軸部
３５  ヒンジ（第２のヒンジ）
４  結合部
４５  ゴムパッド（防振部材）
５  天板保持手段
６  後部防護板
７  側部防護板
【図１】
0003166057.tif 000003
【図２】
0003166057.tif 000004
【図３】
0003166057.tif 000005
【図４】
0003166057.tif 000006
【図５】
0003166057.tif 000007
【図６】
0003166057.tif 000008
【図７】
0003166057.tif 000009
【図８】
0003166057.tif 000010
【図９】
0003166057.tif 000011